(57)【要約】【課題】申請者端末からの催促に基づき承認者端末に催促の情報を送信することができる申請処理装置を提供することを目的とする。【解決手段】申請情報を受信した際に、申請情報記憶手段１４に記憶する申請処理を行う申請処理手段１０と、承認情報を受信した際に、申請情報に対応付けて記憶する承認処理を行う承認処理手段１１と、申請情報に承認情報が対応付けられているか否かの承認状況を判断する承認状況判断手段１６と、承認状況判断手段１６に基づき、承認状況表示情報を申請者に送信する承認状況表示情報送信手段１９と、承認状況表示情報送信手段１９による承認状況表示情報に基づき申請者端末で処理された催促指示情報を取得する催促指示情報取得手段２０と、催促指示情報取得手段２０に基づいて作成された承認催促情報を送信する承認催促情報送信手段２２と、を備えた。【選択図】  図２
2008090740.tif 000002
【特許請求の範囲】
【請求項１】
申請者を示す申請者情報・申請対象を示す申請対象情報・承認者を示す承認者情報を含んだ申請情報を受信した際に、この申請情報を申請情報記憶手段に記憶する申請処理を行う申請処理手段と、
前記申請情報に対する承認情報を受信した際に、この承認情報を前記申請情報に対応付けて前記申請情報記憶手段に記憶する承認処理を行う承認処理手段と、
前記申請情報記憶手段に記憶されている所定の申請情報に承認情報が対応付けられているか否かの承認状況を判断する承認状況判断手段と、
この承認状況判断手段に基づき、前記承認状況表示情報を申請者端末に送信する承認状況表示情報送信手段と、
この承認状況表示情報送信手段による承認状況表示情報に基づき申請者端末で処理された催促指示情報を取得する催促指示情報取得手段と、
この催促指示情報取得手段に基づいて作成された承認催促情報を送信する承認催促情報送信手段と、
を備えたことを特徴とする申請処理装置。
【請求項２】
前記承認状況判断手段により、申請情報に承認情報が対応付けられていないと判断された場合に、承認状況表示情報に、承認者に申請対象情報を提示して承認を催促するための催促指示情報の候補を付与する催促指示情報付与手段を備えた請求項１記載の申請処理装置。
【請求項３】
前記催促指示情報付与手段は、承認者が複数であった場合に、承認者毎に個別の催促指示情報を作成して前記承認状況表示情報に付与する請求項２記載の申請処理装置。
【請求項４】
申請者を示す申請者情報・申請対象を示す申請対象情報・承認者を示す承認者情報を含んだ申請情報を受信した際に、この申請情報を申請情報記憶手段に記憶する申請処理を行う申請処理ステップと、
前記申請情報に対する承認の意を示す承認情報を受信した際に、この承認情報を前記申請情報に対応付けて前記申請情報記憶手段に記憶する認証処理を行う承認処理ステップと、
前記申請情報記憶手段に記憶されている所定に申請情報に承認情報が対応付けられているか否かの承認状況を判断する承認状況判断ステップと、
この承認状況判断ステップに基づき、前記承認状況表示情報を申請者端末に送信する承認状況表示情報送信ステップと、
この承認状況表示情報送信ステップによる承認状況表示情報に基づき申請者端末で処理された催促指示情報を取得する催促指示情報取得ステップと、
この催促指示情報取得ステップに基づいて作成された承認催促情報を送信する承認催促情報送信ステップと、
をコンピュータに行わせることを特徴とする申請処理プログラム。
【請求項５】
前記承認状況判断ステップにより、申請情報に承認情報が対応付けられていないと判断された場合に、承認状況表示情報に、申請対象情報及び承認者情報を含んだ催促指示情報を付与する催促指示情報付与ステップをコンピュータに行わせる請求項４記載の申請処理プログラム。
【発明の詳細な説明】
【技術分野】
【０００１】
本発明は、申請情報を受信するとともに、この申請情報に対する承認情報を受信して申請処理を行う申請処理装置及び申請処理プログラムに関する。
【背景技術】
【０００２】
電子情報技術の発展に伴って、様々な情報が電子情報として管理されるようになるとともに、ネットワークを介して申請処理を行うシステムが提案されてきた。
【０００３】
特許文献１に、ネットワークを介して複数のユーザが寄せ書きの編集を行う寄せ書き管理装置が記載されている。この寄せ書き管理装置では、編集期限前の所定の時点で、編集に参加すべきユーザのうち編集を行っていないユーザ宛に電子メールを送信することができる。
【０００４】
すなわち、この寄せ書き管理装置は、編集期限が近付いた際に、編集を行っていないユーザに電子メールを送って編集処理を促すことにより、編集すべき全てのユーザに編集期限内に編集を行わせるものである。
【特許文献１】特開２００１−２９７０５１号公報
【発明の開示】
【発明が解決しようとする課題】
【０００５】
編集期限が近付いた際に電子メールを用いてユーザに編集を促す方法では、電子メールを受け取ったユーザがこの電子メールを見落としてしまったり誤って消去してしまったりした場合に、そのユーザによる編集が行われない恐れがあった。
【０００６】
本発明は、上記課題を鑑みなされたもので、申請を行うユーザ（申請者）端末からの催促に基づき承認を行うユーザ（承認者）端末に催促の情報を送信することができる申請処理装置を提供することを目的とする。
【課題を解決するための手段】
【０００７】
上記課題を解決するために、本発明に係る申請処理装置は、申請者を示す申請者情報・申請対象を示す申請対象情報・承認者を示す承認者情報を含んだ申請情報を受信した際に、この申請情報を申請情報記憶手段に記憶する申請処理を行う申請処理手段と、前記申請情報に対する承認情報を受信した際に、この承認情報を前記申請情報に対応付けて前記申請情報記憶手段に記憶する承認処理である承認処理手段と、前記申請情報記憶手段に記憶されている所定の申請情報に承認情報が対応付けられているか否かの承認状況を判断する承認状況判断手段と、前記承認状況を表示するための承認状況表示情報を作成する承認状況表示情報作成手段と、この承認状況判断手段に基づき、前記承認状況表示情報を申請者端末に送信する承認状況表示情報送信手段と、この承認状況表示情報送信手段による承認状況表示情報に基づき申請者端末で処理された催促指示情報を取得する催促指示情報取得手段と、この催促指示情報取得手段に基づいて作成された承認催促情報を送信する承認催促情報送信手段と、を備えたことを特徴とする。
【発明の効果】
【０００８】
本発明に係る申請処理装置及び申請処理プログラムによると、申請者端末からの催促に基づき承認者端末に催促の情報を送信することが可能となる。
【発明を実施するための最良の形態】
【０００９】
本発明に係る申請処理装置及び申請処理プログラムの実施形態について、添付図面に基づいて説明する。
【００１０】
本発明に係る申請処理装置の実施形態について、図１〜図９に基づいて詳細に説明する。実施形態として、図書購入に関する申請処理を行う申請処理装置１を例にとって説明する。
【００１１】
図１は、実施形態の申請処理装置１が適用される申請処理システム２のシステム構成図である。
【００１２】
実施形態の申請処理システム２は、ネットワーク３上に申請処理を行う申請処理装置１と、申請者が申請を行う申請者端末４と、申請者の申請に対して承認者が承認を行う承認者端末５とを備える。
【００１３】
ネットワーク３は、ＷＡＮ（Ｗｉｄｅ  Ａｒｅａ  Ｎｅｔｗｏｒｋ）、インターネット、ＬＡＮ（Ｌｏｃａｌ  Ａｒｅａ  Ｎｅｔｗｏｒｋ）等であり、申請処理装置１、申請者端末４、及び承認者端末５は、このネットワーク３を介して通信可能に接続される。
【００１４】
図２は、申請処理装置１の機能構成図である。
【００１５】
申請処理装置１は、図２に示すように、申請者端末４から申請情報を受信して記憶する申請処理を行う申請処理手段１０と、承認者端末５からこの申請情報に対する承認情報を受信して申請情報にこの承認情報を対応付けて記憶する承認処理を行う承認処理手段１１と、申請者照合に必要な照合情報を予め記憶している照合情報記憶手段１２と、照合情報記憶手段１２が記憶している照合情報を用いて申請者照合を行う申請者照合手段１３と、申請情報及び承認情報が記憶されている申請情報記憶手段１４と、申請情報記憶手段１４から申請情報を取得する申請情報取得手段１５と、申請情報に承認情報が対応付けられているか否かの承認状況を判断する承認状況判断手段１６と、承認状況を表示するための承認状況表示情報を作成する承認状況表示情報作成手段１７と、前記承認状況判断手段１６により申請情報に承認情報が対応付けられていなかった場合に、承認状況表示情報作成手段１７により作成された承認状況表示情報に、申請者が承認者に対して承認を催促するための催促指示情報を付与する催促指示情報付与手段１８と、前記承認状況表示情報を申請者に送信する承認状況表示情報送信手段１９と、催促指示情報を取得する催促指示情報取得手段２０と、催促指示情報取得手段２０が取得した催促指示情報に基づいて、承認者に承認を催促する承認催促情報を作成する承認催促情報作成手段２１と、承認催促情報作成手段２１により作成された承認催促情報を承認者に送信する承認催促情報送信手段２２と、を備える。
【００１６】
図３は、申請者端末４の機能構成図である。
【００１７】
申請者端末４は、図３に示すように、申請処理装置１の申請者照合手段１３に対して照合情報を送受信する照合情報送受信手段３０と、申請処理装置１の申請処理手段１０に申請情報を送信する申請情報送信手段３１と、申請処理装置１の承認状況表示情報送信手段１９から承認状況表示情報を取得する承認状況表示情報取得手段３２と、この取得した承認状況表示情報を表示する承認状況表示情報表示手段３３と、この取得した承認状況表示情報に基づいて作成された催促指示情報を申請処理装置１の催促指示情報取得手段２０に送信する催促指示情報送信手段３４とを備える。
【００１８】
図４は、承認者端末５の機能構成図である。
【００１９】
承認者端末５は、図４に示すように、申請処理装置１の承認処理手段１１から承認入力画面情報を取得する承認入力画面情報取得手段４０と、この取得した承認入力画面情報を表示する承認入力画面情報表示手段４１と、この取得した承認入力画面情報に基づいて承認情報を作成して申請処理装置１の承認処理手段１１に送信する承認情報送信手段４２と、申請処理装置１の承認催促情報送信手段２２から承認催促情報を取得する承認催促情報取得手段４３とを備える。
【００２０】
申請者情報は、申請者名を示す申請者名情報、申請者の申請者ＩＤを示す申請者ＩＤ情報、申請者が設定した申請者ＩＤに対応付けられているパスワードを示すパスワード情報、申請者の送信先を示す申請者送信先情報等である。
【００２１】
照合情報は、申請者毎に、申請者情報、及び申請者が行った申請の識別子である申請ＩＤを示す申請ＩＤ情報等を含んでいて、申請処理装置１の照合情報記憶手段１２に記憶されている。
【００２２】
申請情報は、申請毎に、申請ＩＤ情報、申請者情報、申請時刻を示す申請時刻情報、申請対象物の情報である申請対象情報、承認者の情報である承認者情報、等を含んでいる。この申請情報は、申請処理装置１の申請情報記憶手段１４に記憶されている。
【００２３】
申請対象情報は、例えば、図書購入の申請を行う場合は、申請対象となる図書のタイトルを示すタイトル情報、申請対象となる図書の価格を示す価格情報、申請対象となる図書の著者を示す著者情報、申請対象となる図書の出版社を示す出版社情報等である。
【００２４】
承認者情報は、承認者名を示す承認者名情報、承認者の送信先を示す承認者送信先情報等である。申請情報は、承認者が複数である場合には、承認者毎に個別の承認者情報を含んでいる。
【００２５】
承認情報は、申請情報、承認者情報、承認時刻を示す承認時刻情報等を含んでいる。
【００２６】
始めに、申請処理装置１が申請者端末４から申請情報を受信した際に申請処理を行う手順を、図５に示すフローチャートに基づいて説明する。
【００２７】
申請者端末４の申請情報送信手段３１が、申請者によって入力された申請情報を申請処理装置１に送信する（Ｓ１０１）。申請処理装置１の申請処理手段１０は、この申請情報を取得する（Ｓ１０２）。
【００２８】
そして、申請処理手段１０が、申請処理装置１の申請情報記憶手段１４にこの申請情報を取得して記憶する（Ｓ１０３）ことにより、申請処理装置１による申請処理が完了する。
【００２９】
この際、申請処理手段１０は、申請者照合に用いるために、申請情報から申請者情報及び申請ＩＤ情報を抽出して、照合情報記憶手段１２に記憶する。
【００３０】
次に、申請処理装置１が承認情報を受信した際に承認処理を行う手順を、図６に示すフローチャートに基づいて説明する。
【００３１】
申請処理装置１の申請処理手段１０が申請情報記憶手段１４に新規の申請情報を記憶すると、申請処理装置１の承認処理手段１１は、申請情報に含まれている承認者情報で示されている承認者に申請情報を提示して承認情報の入力させるための情報である承認入力画面情報を作成する（Ｓ２０１）。この承認入力画面情報は、承認者に申請情報を提示するために、申請処理手段１０により新規に申請処理された申請情報を含んでいる。また、承認者が複数いる場合は、承認入力画面情報は各々の承認者に対して個別に作成される。
【００３２】
承認処理手段１１は、この承認入力画面情報を承認者端末５に送信する（Ｓ２０２）。この際、承認処理手段１１は、この承認入力画面情報の承認者情報の承認者送信先情報に基づいて送信先を決定する。
【００３３】
承認者端末５の承認入力画面情報取得手段４０は、申請処理装置１から承認入力画面情報を取得する（Ｓ２０３）。承認入力画面情報表示手段４１は、この承認入力画面情報取得手段４０が取得した承認入力画面情報を表示する（Ｓ２０４）。これにより、承認者に対して承認の意を表す承認情報の入力を促すことができる。
【００３４】
承認者端末５の承認情報送信手段４２は、承認者により承認情報が入力されたか否かを判断する（Ｓ２０５）。入力がされなかった場合（Ｓ２０５のＮｏ）は、承認者端末５は承認処理を終了する。すなわち、承認入力画面情報を表示させたにもかかわらず、承認をせずに処理を終了させたことを意味する。また、承認情報が入力された場合（Ｓ２０５のＹｅｓ）は、承認情報送信手段４２は、入力された承認情報を申請処理装置１に送信する（Ｓ２０６）。なお、承認情報は、承認入力画面情報に含まれていた申請情報、入力（承認）を行った承認者の承認者情報を含んでいる。承認者が複数いる場合は、承認情報は、申請情報、承認を行った承認者のみの承認者情報を含んでいる。
【００３５】
申請処理装置１の承認処理手段１１は、承認者端末５からこの承認情報を取得して（Ｓ２０７）、この承認情報から申請ＩＤ情報を抽出する。承認処理手段１１は、申請情報記憶手段１４に記憶されている申請情報から申請ＩＤ情報が抽出された申請ＩＤ情報と一致する申請情報を抽出し、承認者端末５から取得した承認情報をこの選出された申請情報に対応付ける。そして、承認処理手段１１が、承認者端末５から取得した承認情報を、承認処理装置１１により選出された申請情報と対応付けて申請情報記憶手段１４に記憶し直す（Ｓ２０８）ことにより、申請処理装置１による承認処理が完了する。
【００３６】
ここで、申請処理装置１は、承認者端末５が承認入力画面情報を表示した際に承認情報が入力されなかった場合、すなわち承認がされなかった場合（Ｓ２０５のＮｏ）に、申請者端末４からの指示に従って承認者端末５に対して承認の催促を行う承認催促処理の機能を有している。
【００３７】
申請処理装置１が申請者端末４から承認催促処理を促された際に、申請処理装置１が承認催促処理を行う手順を、図７に示すフローチャートに基づいて説明する。
【００３８】
申請処理装置１が申請者端末４から承認催促処理を促されると、申請処理装置１の申請者照合手段１３は、申請者照合を行うために、申請者に照合情報の入力を促す照合情報入力指示情報を送信する（Ｓ３０１）。
【００３９】
申請者端末４の照合情報送受信手段３０において照合情報が入力され送信されると、申請者照合手段１３は、この照合情報を取得する（Ｓ３０２）。
【００４０】
この照合情報入力指示情報には、承認を催促する対象となる申請情報の申請ＩＤ情報が含まれている。申請者端末４から取得する照合情報には、この申請ＩＤ情報、及び承認の催促を行う申請者の申請者ＩＤ情報及びパスワード情報等の申請者情報が含まれている。
【００４１】
申請者照合手段１３は、申請者端末４の照合情報送受信手段３０より取得した照合情報から申請ＩＤ情報、申請者ＩＤ情報、及びパスワード情報を抽出する。また、申請者照合手段１３は、申請処理装置１の照合情報記憶手段１２に記憶されている照合情報から例えば申請ＩＤが等しい照合情報を取得して、申請者端末４から取得した照合情報と合致するか否かを判断する（Ｓ３０３）。
【００４２】
申請ＩＤが合致する照合情報が無い場合、あるいは申請者端末４から取得した照合情報と照合情報記憶手段１２から取得した照合情報が異なっていた場合（Ｓ３０３のＮｏ）は、申請者照合手段１３は、申請者端末４にエラーメッセージを送信して（Ｓ３０４）、承認催促処理を行わずに終了する。
【００４３】
また、照合情報が合致するものが有ると判断した場合、すなわち申請者端末４から取得した照合情報と照合情報記憶手段１２から取得した照合情報が一致した場合（Ｓ３０３のＹｅｓ）は、申請処理装置１の申請情報取得手段１５は、申請情報記憶手段１４から照合情報に含まれる申請ＩＤ情報に基づいて、承認の催促を行う対象となる申請情報を取得する（Ｓ３０５）。
【００４４】
ここで、既に承認者による承認がされている申請情報には、Ｓ２０８の処理によって承認情報が対応付けられている。申請処理装置１の承認状況判断手段１６は、申請情報に承認情報が対応付けられているか否かを判断する（Ｓ３０６）。承認者が複数いる場合には、申請情報に全ての承認者の承認情報が対応付けられているか否かを判断する。
【００４５】
申請情報に承認情報が対応付けられていた場合（Ｓ３０６のＹｅｓ）、申請処理装置１の承認状況表示情報作成手段１７は、申請者に承認状況を提示するための承認状況表示情報を作成し（Ｓ３０７）、申請処理装置１の承認状況表示情報送信手段１９が、この承認状況表示情報を申請者端末４に送信する（Ｓ３０８）。なお、承認状況表示情報は、申請情報を含んでいる。
【００４６】
申請情報に承認情報が対応付けられていなかった場合（Ｓ３０６のＮｏ）、承認状況表示情報作成手段１７はＳ３０７と同様に承認状況表示情報を作成する（Ｓ３０９）。申請処理装置１の催促指示情報付与手段１８は、この承認状況表示情報に対して、申請者に承認を催促させるための情報である催促指示情報を付与する（Ｓ３１０）。催促指示情報は、承認を行っていない承認者に対して承認者毎に個別に作成される催促の候補の情報であり、申請ＩＤ情報、及び承認を行っていない承認者の承認者情報を含んでいる。
【００４７】
申請処理装置１の承認状況表示情報送信手段１９は、催促指示情報が付与された承認状況表示情報を申請者端末４に送信する（Ｓ３１１）。
【００４８】
催促指示情報が付与された承認状況表示情報を取得した申請者端末４は、この承認状況表示情報を表示し、申請者からの指示があった場合にこの承認状況表示情報から催促指示情報を抽出して申請処理装置１に送信する（後述するＳ４０１〜４０４）。
【００４９】
申請処理装置１の催促指示情報取得手段２０が申請者端末４の承認催促情報手段３４から申請者によって選択された申請対象に関する催促指示情報を受信した（Ｓ３１２のＹｅｓ）場合には、申請処理装置１の承認催促情報作成手段２１は、承認者に承認を催促するための承認催促情報を作成する（Ｓ３１３）。承認催促情報は申請情報を含んでいる。
【００５０】
申請処理装置１の承認催促情報送信手段２２は、催促指示情報の承認者情報から承認者の送信先情報を抽出する。そして、承認催促情報送信手段２２は、作成された承認催促情報を、抽出された承認者送信先情報から得られた承認者送信先に送信する（Ｓ３１４）。
【００５１】
そして、承認者端末５の承認催促情報取得手段４３は、この承認催促情報を取得し、承認者に、この承認催促情報に含まれる申請情報に対する承認を促す。
【００５２】
このように、申請者が承認を行っていない承認者に対して承認催促情報を送信することにより、申請者は承認者に確実に承認処理を行わせることができる。
【００５３】
次に、申請処理装置１から承認状況表示情報を受信した申請者端末４が、Ｓ３１１を処理した申請処理装置１に対して承認催促情報を送信する手順を、図８のフローチャートに基づいて説明する。
【００５４】
申請者端末４の承認状況表示情報取得手段３２は、申請処理装置１がＳ３１１で送信した承認状況表示情報を取得する（Ｓ４０１）と、申請処理装置１の承認状況表示情報表示手段３３が、この承認状況表示情報に基づいて図９に示す承認状況表示画面５０を表示する（Ｓ４０２）。
【００５５】
承認状況表示画面５０は、図９に示すように、申請者に承認状況を提示して承認の催促指示を促す画面であり、図９に示すように、申請毎に、申請者名情報を表示する申請者名情報表示欄５１、承認者名を表示する承認者名表示欄５２、この承認者が承認を行ったか否かを表示する承認状況表示欄５３、及び、この承認者に対して承認催促情報を送信するための送信ボタン５４を備える。
【００５６】
なお、送信ボタン５４は催促指示情報に基づいて表示されるボタンであり、承認状況表示情報表示手段３３によって承認者による承認が行われていない申請についてのみ表示される。また、承認状況表示情報表示手段３３によって、承認者による承認が行われていない申請の表示を承認状況表示画面５０の例えば上側の一方にまとめて表示させてもよい。
【００５７】
また、申請情報に複数の承認者が含まれていた場合は、承認状況表示画面において各々の承認者毎にこれらの表示欄５１〜５３及び送信ボタン５４が表示される。各々の承認者に対して個別に送信ボタン５４を表示することにより、特定の承認者にのみ承認の催促を行うことができる。
【００５８】
なお、承認者による承認が行われていない申請について、承認状況表示画面の各表示欄５１〜５３の背景を目立つ色で表示すると、申請者が一目で承認状況を判断することができて良い。
【００５９】
承認者端末５の催促指示情報送信手段３４は、承認者により送信ボタン５４が押下されたか否かを判断し（Ｓ４０３）、送信ボタン５４が押下された場合（Ｓ４０３のＹｅｓ）、承認状況表示情報に含まれている催促指示情報を申請処理装置１に送信する（Ｓ４０４）。また、送信ボタン５４が押下されなかった場合（Ｓ４０３のＮｏ）は、承認の催促処理を終了する。
【００６０】
実施形態の申請処理装置１１は、図書の購入申請、電子部品の購入申請、文房具の購入申請、日用雑貨品の購入申請、電化製品の購入申請、音楽ソフトや映像ソフト（ＣＤ、ＭＤ、ＤＶＤ、ビデオ等）の購入申請、医薬品の購入申請等の様々な対象商品の申請処理に適応される。
【００６１】
また、実施形態の申請処理装置１は、購入申請に限定することなく、旅費申請や出張申請等の様々な申請に適応されても良い。
【００６２】
実施形態の申請処理装置１によると、申請者が、承認を行っていない承認者を判断して、承認が行われるまで何度でも承認を催促することができ、承認期限があった場合であっても、申請者の催促により承認者に確実に承認期限内に承認処理を行わせることが可能となった。
【００６３】
なお、実施形態では、装置内部に発明を実施する機能が予め記録されている場合で説明をしたが、これに限らず、同様の機能をネットワーク３から装置にダウンロードしても良いし、同様の機能を記録媒体に記憶させたものを装置にインストールしてもよい。
【００６４】
記録媒体としては、ＣＤ−ＲＯＭ等プログラムを記憶でき、かつ装置が読み取り可能な記録媒体であれば、その形態は何れの形態であっても構わない。
【００６５】
また、このように予めインストールやダウンロードにより得る機能は、装置内部のＯＳ（オペレーティング・システム）等と協働してその機能を実現させるものであってもよい。
【図面の簡単な説明】
【００６６】
【図１】本発明に係る申請処理装置が適用される申請処理システムのシステム構成図。
【図２】申請処理装置の機能構成図。
【図３】申請者端末の機能構成図。
【図４】承認者端末の機能構成図。
【図５】申請処理装置が申請処理を行う手順を示すフローチャート。
【図６】申請処理装置が承認処理を行う手順を示すフローチャート。
【図７】申請処理装置が承認催促情報を送信する手順を示すフローチャート。
【図８】申請者端末が申請処理装置に承認催促を行わせる手順を示すフローチャート。
【図９】申請者端末の承認状況表示画面の図。
【符号の説明】
【００６７】
１０  申請処理手段
１１  承認処理手段
１２  照合情報記憶手段
１４  申請情報記憶手段
１６  承認状況判断手段
１９  承認状況表示情報送信手段
２０  催促指示情報取得手段
２２  承認催促情報送信手段
【図１】
2008090740.tif 000003
【図２】
2008090740.tif 000004
【図３】
2008090740.tif 000005
【図４】
2008090740.tif 000006
【図５】
2008090740.tif 000007
【図６】
2008090740.tif 000008
【図７】
2008090740.tif 000009
【図８】
2008090740.tif 000010
【図９】
2008090740.tif 000011